(57)【要約】【課題】  複数の点光源から出射された光を面状に変換する隣り合うプリズムの接する部分の輝度分布を均一にする。【解決手段】  一側面に複数個点光源１を設置し、それぞれの各点光源１を中心として同心円弧状に連続して配置した断面略Ｖ字状の第１プリズム３ａ、３ｂと、点光源１を中心として同心円弧状に配置された第１のプリズムと接線を共有する曲線状に連続して配置した第２のプリズム３ａ’、３ｂ’からなる合成プリズムを複数の点光源１のそれぞれに対して円周方向に複数配置する。点光源を中心として同心円弧状に配置された第１のプリズム３ａ、３ｂと接線を共有する曲線状に連続して配置する第２のプリズム３ａ’、３ｂ’を、点光源１を中心としたら略らせん状に形成し、複数の点光源１の隣接する各点光源を中心として連続して配置した断面略Ｖ字状のプリズムが隣接する点光源間の中間位置を交点として、当該地点からプリズムの深さ又は高さが所定の量を持つようにした。【選択図】  図１
2006276148.tif 000002
【特許請求の範囲】
【請求項１】
液晶表示パネルと、この液晶表示パネルの背面に照明装置を設置した液晶表示装置であって、
前記照明装置は、前記液晶表示パネルの背面に上面を対向させて配置された略平板形状の透明部材からなる導光板および光源とを有し、
前記光源は、前記記導光板の一辺の側面に設置された複数個の点光源で構成され、
前記導光板の前記液晶表示パネルと対向する面に、前記複数個の点光源のそれぞれを中心として同心円弧状に形成された断面略Ｖ字状の多数の溝からなる第１のプリズムと、前記点光源のそれぞれを中心として前記同心円弧状に配置された前記第１のプリズムの前記同心円弧状の多数の溝のそれぞれと接線を共有する曲線状に連続して配置した第２のプリズムとからなる合成プリズムを、前記複数の点光源のそれぞれに対して配置したことを特徴とする液晶表示装置。
【請求項２】
前記複数の点光源のそれぞれを中心として同心円弧状に（連続して）配置した断面略Ｖ字状の多数の溝からなる第１のプリズムと、前記点光源を中心として前記同心円弧状に配置された第１のプリズムのそれぞれと接線を共有する曲線状に連続して形成された第２のプリズムとからなる合成プリズムを、前記点光源を中心として略らせん状に配置したことを特徴とする請求項１に記載の液晶表示装置。
【請求項３】
前記複数の点光源の隣接する各点光源を中心として連続して形成された断面略Ｖ字状の前記合成プリズムの第２のプリズムが、前記隣接する点光源間の中間位置を交点として、当該中間位置からの深さ又は高さが、１０度から２４度の傾きを持って所定の量に設定されていることを特徴とする請求項１に記載の液晶表示装置。
【発明の詳細な説明】
【技術分野】
【０００１】
本発明は、液晶表示装置に係り、特に導光板の側面に配置された点光源の光を、該導光板の上下面に面状に導光して液晶表示パネルを照明する照明装置を備えた液晶表示装置に関する。
【背景技術】
【０００２】
携帯電話機や携帯情報端末機あるいはゲーム機等の小型端末機器では、その表示装置を構成する表示デバイスとして液晶表示パネルが用いられることが多い。一般的な液晶表示パネルは自身では発光しないため、通常は液晶表示パネルの背面に面状の光を照射する照明装置（背面光源装置、以下バックライト装置と称する）を設ける必要がある。液晶表示パネルのバックライト装置の光源には、小型及び低消費電力が特徴である発光ダイオードに代表される固体発光素子が多く用いられる。この発光ダイオードを光源とした液晶表示パネル用のバックライト装置では、点光源である発光ダイオードから出射した光を効率良く面状の光源に変換するための構造が各種提案されている。
【０００３】
図８は、液晶表示パネルの背面にバックライト装置を配置した液晶表示装置の一般的な構造を示す概略図である。平板形状をした導光板２は、アクリル樹脂を好適とする透明材料で形成される。発光ダイオードを好適とする点光源１は導光板２の一側面に設置される。この点光源１より出射した光を導光板２の上下平面に出光させることを目的とした反射屈折導光プリズム３(以下、単にプリズムと称す)が導光板２の表面に形成される。このプリズム３によって導光板２の上平面（液晶表示パネルと対面する面）と下平面に点光源の光を面状に導光する。尚、下平面に導光された光は反射板４によって再び上平面に導光されて液晶表示パネルの照明光となる。
【０００４】
一方、導光板２によって点光源１から上平面に直接導光されて上平面から出射した光と、反射板４によって反射されて導光板２を通して上平面から出射した面状の光は、拡散板５を介して液晶表示パネル６を照明し、液晶表示パネル６の観察側に輝度を持たせている。通常、点光源１、導光板２、反射板４、拡散板５、点光源用の電源及び前記各部品を空間的に保持する構造体を一体化したものを総称してバックライト装置と呼ぶことが多い。又、前記したように、バックライト装置と液晶表示パネル６を組み合わせた構造全体を総称して液晶表示装置と呼ぶのが一般的である。
【０００５】
図９は、点光源が一つである場合の導光板の構成を説明する図であり、図９（Ａ）は導光板を上面から見た模式図、図９（Ｂ）は導光板の表面に形成されたプリズムの一形状例の部分断面を拡大した一部断面図、図９（Ｃ）は導光板の表面に形成されたプリズムの他の形状例の部分断面を拡大した一部断面図である。図９（Ａ）において、点光源１から出射された光は導光板２に形成されたプリズム３によって進路変更されて面状光源に変換される。
【０００６】
図９（Ａ）に示すように、点光源を面状光源に変換するには、導光板２に点光源１を中心とした同心円弧状のプリズム３を導光板２の面内に多数配置することが最も効率が良い。又、点光源を面状光源に効率よく変換するプリズム３の断面は図９（Ｂ）の一部断面拡大図に示すように、略Ｖ字状溝形状をしたプリズム３に限らず、図９(Ｃ)に示す様な、略Ｖ字状の突起形状をしたプリズム３’も有効である。なお、同心円弧状プリズムを用いたものとして、例えば特許文献１に開示されたものを挙げることができる。
【０００７】
導光板２の面状光源としての面内輝度を高くするには、前記したプリズムの導光板内での配置密度を高くする必要がある。しかし、このようなプリズムは面内の円周方向に有限の幅を持つことと、点光源から出射される光を面状に変換するための最も効率の良いプリズム面の角度（略Ｖ字状溝あるいは略Ｖ字状の突起の斜面の角度）が概ね決まっているので、単純に幅の細かな同心円状のプリズムを面内に配置するだけでは、点光源から円周方向に遠い場所では、点光源からの光量自体が少ないため、面状光源においてもこの部分の輝度は低下する。このことを回避するため、点光源から遠くなるほどプリズムの面積を多く、すなわちプリズムの深さ又は高さを大きくして、面状への光の変換効率を上げる方法がある。
【０００８】
さらに面状光源の輝度を上昇させるためには点光源の数を増やすことが行われる。図１０は、一側面の３箇所にそれぞれに点光源を設置した導光板を上面から見た模式図である。各点光源１から出射された光は、導光板２にそれぞれの点光源１を中心とする同心円弧状に多数個設置されているプリズム３で面状光源に変換される。このように点光源を複数設置した場合、隣り合う点光源に対するプリズムは同心円弧の中心が異なるために、同心円弧状のプリズム同士が相互に重なる部分が発生し、この部分に輝度分布の差が生じる。
【０００９】
図１１は、図１０において隣り合うプリズム同士が隣り合う点光源の中心位置で交差する部分を拡大して上面から見た模式図である。図１１では、隣り合う点光源間の距離をｂとし、点光源間の中心位置を点線ｃで示した。なお、図１１では点光源を等間隔で配置したことで、距離ｂは点光源間の中点間距離に等しい。また、同心円弧状の略Ｖ字状プリズムの稜線（中心線）を点線ｄで示している。尚、この稜線を含めて、略Ｖ字状プリズムの側縁も直線で近似して図示しているが、これらは、前述したように各点光源を中心とした円弧の任意の半径を持つ同心円弧である。このことは、以下の実施例の図面でも同様である。
【００１０】
図１１に示すように、従来技術では、隣り合うプリズムが同心円弧の稜線を維持して交差するため、この交差部分において隣り合う点光源の光が重なり合う。前述したように、プリズムの面内配置密度を上げ、且つ、プリズムの面積を調節するなどして面状光源全体の輝度を上げているため、プリズムの隣接する部分では隣接する点光源のそれぞれの光量を加算した輝度となり、他の部分の輝度分布と差が生じる。この輝度分布の差を改善するために、この種のプリズム（所謂、反射屈折導光プリズム）の形状と、点光源に対するプリズムを連続しない形状にして、当該プリズムの点光源に対する方向を変化させて対応する方法（特許文献２）などもある。
【特許文献１】特開２００４−１９９９５８号公報
【特許文献２】特開２００３−２１５５８４号公報
【発明の開示】
【発明が解決しようとする課題】
【００１１】
しかしながら、このように構成された液晶表示装置において、点光源に対する複数の反射導光プリズムの局所的な方向を変化させるだけでは、同心円状のプリズム同士が相互に重なる部分の輝度分布が必ずしも均一とならない。前記重なる部分の輝度分布を改善して最適化するには、プリズムの形成方向及び配置方法を細かく考慮する必要があり、その最適化に多くの頭脳と時間が必要となる。
【００１２】
本発明の目的は、従来のこのような課題を解決するために、同心円状の連続したプリズム同士が相互に接する部分の輝度分布を導光板の出射側面（上面）の面内で均一化し、かつ当該面内の輝度分布を容易に調節可能として液晶表示パネルの面内輝度差を低減して高品質の画像表示を可能とした液晶表示装置を提供することにある。
【課題を解決するための手段】
【００１３】
上記目的を達成するため、本発明は、一辺の側面から入射した光を上下平面に導光する略平板形状をした導光板の一側面に複数個点光源を設置し、それぞれの各点光源を中心として同心円弧状に連続して配置した断面略Ｖ字状の溝で形成したプリズムと、前記点光源を中心として前記同心円弧状に配置されたプリズムと接線を共有する曲線状に連続して配置した上記の同心円弧状プリズムと同様の断面略Ｖ字状のプリズムとを前記複数の点光源に対して円周方向に複数配置した。
【００１４】
そして、前記点光源を中心として前記同心円弧状に配置されたプリズム（第1のプリズム）と接線を共有する曲線状に連続して配置するプリズム（第2のプリズム）が、前記点光源を中心とした略らせん状に連続すること及び前記複数の点光源の隣接する各点光源を中心として同心で配置した断面略Ｖ字状のプリズムが前記隣接する点光源間の中間位置を交点として、当該地点からプリズムの深さ又は高さが所定の量を持つように構成した。
【００１５】
例えば、従来技術で述べたように、隣り合うプリズムを同心円弧状の稜線を維持して交差させた場合には、隣り合う点光源から出射された光が重なり合って、前記交差部分で面状に変換された照明光の輝度が大きすぎてしまう。これを解決するため、本発明では、隣り合う点光源の中間位置を当該プリズムの交差領域の付近で同心円弧状プリズムから接線を共有する曲線状に連続して配置する。これにより、各点光源から出射された光の重なり合う量が低減され、隣接するプリズム同志の接する部分で輝度が高くなることを抑止でき、導光板の上面における面内輝度分布の均一化が実現される。
【００１６】
また、各点光源に対する同心円弧状のプリズムの稜線は、当該点光源を極として半径が一定、すなわち角度に対して極からの距離が円周方向に対して一定であるが、本発明では隣接するプリズムが接する点近くの任意の点で、前記極（点光源）を中心とし接線を共有したらせん形状にプリズムを連続して配置することで、隣接するプリズム同志の接する部分で輝度が高くなることを抑止できる。
【００１７】
また、前記複数の点光源の隣接する各点光源を中心として連続して配置した断面略Ｖ字状のプリズムが前記隣接する点光源間の中間位置を交点として、当該地点からプリズムの深さ又は高さが一定の量を持つようにすることで解決される。
【００１８】
例えば、前記プリズム同士を交差させず、プリズム間に隙間を設けることにより隣り合う点光源の光量を低減する方法も考えられる。しかし、この場合、前記プリズムの交差しない領域が点光源の円周方向に直線的に配置されるため、この部分の輝度が局部的に低下し、線状の暗部になる。本発明の構成とすることで、隣り合う点光源間の中間位置から、このような暗部を発生させることなく他のプリズムの隣接しない部分と同等な面状の輝度を得ることができる。
【発明の効果】
【００１９】
隣り合う点光源から出射された光が、導光板の上面に形成した同心円状のプリズムによって液晶表示パネルの方向へ出射されて重なりあう光を、各点光源それぞれを中心として同心円弧状に連続して配置した断面略Ｖ字状の第１のプリズムと、前記点光源を中心として前記同心円弧状に配置されたプリズムと接線を共有する曲線状に連続して配置した第２のプリズムからなる合成プリズムを前記複数の点光源に対して円周方向に複数配置することにより、当該部分の輝度を他の部分の輝度と同等な分布とすることができる。
【発明を実施するための最良の形態】
【００２０】
以下、本発明の具体的な実施の形態について図面を用いて詳細に説明する。
【実施例１】
【００２１】
図１は、本発明に係る点光源を面状光源に変換する導光板を上面から見た概略図と隣り合う点光源をそれぞれ中心とする同心円状のプリズム同士の交点付近を上面から拡大して表した模式図である。
【００２２】
そして、図１（Ａ）は、点光源１が３個である場合の導光板２の上面から模式的に見た概略平面図である。本実施例では点光源１が３ヶ所にある。そのため、それぞれの点光源１に対して同心円弧状のプリズム３が各点光源１を中心として円周方向に複数配置される。それぞれの点光源１から発する光量は同じなので、導光板の上面の輝度を均一にするために隣り合う同じ半径を持つ同心円弧状のプリズム３は、隣り合う点光源の中間、すなわち点光源間距離の半分の位置で接する。図1（Ａ）では点光源１が３ヶ所あるので、この中間地点すなわちプリズム３同志の接する点は２箇所存在する。プリズム３は点光源に対して同心円状に複数あるので、前記接点は２本の直線状になる。この直線を図1（Ａ）の点線Ｃで示した。
【００２３】
また、図1（Ｂ）は、前記プリズムの接している箇所を拡大して示す平面図である。すなわち、本実施例に係る導光板の表面に点光源を中心として円周方向に複数配置した連続したプリズムの内、一つの連続した合成プリズムが隣り合う一つの連続した合成プリズムと接する部分を模式的にあらわした拡大平面図であり、同心円弧状に配置された図１（Ａ）のプリズム３が隣り合う点光源を中心とした同心円弧状のプリズム３ａと隣の点光源を中心とした同心円弧状のプリズム３ｂが配置された部分を拡大して示している。以下、プリズム３ａとプリズム３ｂを第１のプリズムと称する。
【００２４】
図１(Ｂ)に示すように、同心円弧状の連続した第１のプリズム３ａと３ｂは、点線ｃで示した点光源間距離ｂの中央線上と、点線ｄで示した同心円弧状の第１のプリズム３ａと３ｂの半径方向に連続するプリズムの稜線、すなわち任意半径の同心円弧に相当する線が一点で交わる交点ｅを持つ。尚、隣り合う点光源間をｂで現し、この距離ｂは隣り合うプリズムの交点間距離に等しい。
【００２５】
本実施例では、前記交点ｅを基点とした距離ａの地点までを除く範囲を第１のプリズム３ａと３ｂが同心円弧状の配置をなしており、前記ａ地点から交点ｅまでの区間で、ａ地点で接線を共有する曲線状に連続して第２のプリズム３ａ’と３ｂ’を配置する。本実施例では、第２のプリズム３ａ’と３ｂ’の曲線を、点光源１を極とした円周方向の角度θに対して半径ｒを前記角度θの関数として定義できる次の式（１）で表すらせん形状にしていることが特徴である。なお、ｋは係数である。
ｒ＝ｋθ・・・・・（１）
【００２６】
本実施例によれば、隣り合う点光源から出射された光が、同心円状のプリズム（第２のプリズム３ａ’と３ｂ’）によって垂直に面方向へ出射されて重なり合う光を、それぞれの各点光源１を中心として同心円弧状に連続して配置した断面略Ｖ字状のプリズム（第１のプリズム３ａと３ｂ）と、前記点光源１を中心として前記同心円弧状に配置されたプリズム（第１のプリズム３ａと３ｂ）と接線を共有する曲線状に連続してプリズム（第２のプリズム３ａ’と３ｂ’）を配置することにより、点光源１から円周方向に出社された光を、隣接する２つの合成プリズム（ここで言う合成プリズムは、第１のプリズムと第２のプリズムが一体となったものを意味する）同士が接する点での重なり合いが低減される。
【００２７】
また、点光源１を極とした円周方向の角度θに対して半径ｒを前記角度θの関数として定義できる式（１）の角度θの係数ｋを適当に変えることで、隣接する合成プリズム同士が隣接する部分の光量を調節できる。本実施例の合成プリズムの形成は、後述するように略Ｖ字形状をしたバイト工具によって行う。そのため、一種類の液晶表示装置のバックライト用導光板のための本実施例に係るプリズム配置を決定した後、点光源の性質や、点光源の配置位置又は導光板の材質を変更した場合には、プリズムの配置状態を変更する必要性があるが、本実施例においては、前記角度θの係数ｋをそれぞれ変更した条件ごとに適正化することで、容易に合成プリズムの接する部分の輝度を調節することが可能である。
【００２８】
尚、本実施例では、接線を共有する第２のプリズムの曲線形状をらせん形状に配置したが、接線を共有できる曲線状の配置の別な実施方法として、点光源を中心とした円周方向の角度の関数として形状を表すことのできる曲線、たとえば対数らせん形状やインボリュート曲線形状及びサイクロイド曲線形状であっても同様な効果が得られる。
【００２９】
また、本実施例においては、実施例２で詳細に述べるように、アクリル樹脂に直接機械的にプリズムを形成或いは金型にプリズムを機械的に形成するために、前述した点光源間距離の中央線ｃの位置から、合成プリズムの第２のプリズムの高さ又は深さが、１０度から２４度の傾きを持って所定の量を持つようにした。
【実施例２】
【００３０】
次に、本発明の液晶表示装置のバックライト装置に用いる導光板を工業的に量産する方法の実施例を実施例２としてについて説明する。本実施例の導光板は、略Ｖ字状の切削工具（以下、バイトと称する）を用いて金型の表面に略Ｖ字状のプリズム溝を切削加工し、この金型を用いてアクリル樹脂などの射出成形によって成形し、当該アクリル樹脂などの表面に略Ｖ字状の突起状のプリズム形状を形成して導光板にする方法、あるいはアクリル樹脂に略Ｖ字状のバイトを用いて直接切削加工を行い、プリズム形状を形成して導光板にする方法を行うことによって工業的に量産することができる。
【００３１】
図２は、金型に、もしくはアクリル樹脂に直接、刃先が略Ｖ字状のバイトを用いて切削加工を行い、金型もしくはアクリル樹脂の表面にプリズム形状を形成する方法を示した模式図である。図２（Ａ）は、金型に、もしくはアクリル樹脂に直接、略Ｖ字状のバイトで切削加工方法を示した断面図である。図２（Ｂ）は、切削加工によって形成されたプリズムの形成部分を上面から見た部分拡大図であり、図２（Ｃ）は、形成されたプリズムの一部断面を拡大した模式図である。
【００３２】
図２（Ａ）において、略Ｖ字形状をしたバイト７を金型もしくはアクリル樹脂８に所定の深さまで切り込みを行い、その後平面方向に点光源を中心とした曲線状にバイト７を回転させながら円弧状に移動させて、図２（Ｂ）に示すような曲線状の第２のプリズム３ａ’(又は３ｂ’)から同心円弧状の第１のプリズム（図１（Ｂ）参照）を形成する。このようにして形成された第２のプリズム３ａ’(又は３ｂ’)の断面は図２（Ｃ）に示すように略Ｖ字形状をしたバイト７の形状を転写した形となり、角度β、深さｈ、幅ｗを持つ略Ｖ字状の溝断面となる。
【００３３】
本実施例の方法では、アクリル樹脂に直接切削加工を実施することで、本発明に係る導光板を量産可能である。また、本実施例の方法は、導光板の性能を確認するためのいわゆる試作を行うことに適した方法である。さらに、導光板に使用する樹脂として、本実施例ではアクリル樹脂を用いたが、透過率の高い材料であれば同様な効果が得られる。
【００３４】
尚、前述した実施例２の方法で金型にプリズム形状（導光板のプリズム形状の逆形状）を形成した場合は、略Ｖ字状のプリズム溝を形成した金型表面にアクリル樹脂を射出成形することによって、アクリル樹脂の表面に略Ｖ字状の突起形状をしたプリズム（合成プリズム）が配置された導光板が量産できる。
【００３５】
また、前述した略Ｖ字状をしたプリズム溝を形成した金型に電鋳を行い、略Ｖ字状突起を形成した金型（図示せず）を作製し、この金型を用いてアクリル樹脂を射出成形して、略Ｖ字状の溝形状をした合成プリズムを形成した導光板を量産することができる。
【００３６】
尚、点光源から出射された光を効率よく面状に変換するために効率の良いプリズム溝の大きさ、すなわちプリズム３a’(３ｂ’)の深さｈ、プリズムの幅ｗ、前述したバイト７の金型もしくはアクリル樹脂への切り込み深さを変化させることにより簡単に実施できる。また、プリズム溝の内面の角度βは切削用のバイトの形状を変えることによって容易に変化させることができる。
【００３７】
図２（Ａ）において、略Ｖ字形状したバイト７を所定の深さまで切り込む角度α度は、バイト７の逃げ角よりは大きくできない。仮に前記逃げ角の角度より大きくした場合は、バイト７が破損するなどの不具合が生じ、前述した略Ｖ字状のプリズムが形成不可能となる可能性があるためである。本実施例ではこの角度αを、この種の加工分野での常識的範囲である概ね１０度以上２４度以下にして、切り込みを実施した。
【実施例３】
【００３８】
図３は、バイトの切り込み角度を２４度にした本発明の実施例３の説明図であり、第１のプリズム３ａ、３ｂが接する部分に形成した第２のプリズム３ａ’、３ｂ’を上面から拡大して見た模式図である。前述した図１の実施例では、第１のプリズム３ａ、３ｂの接点からの切り込み部分が２４度より小さいために、点光源１から出射された光を面状に変換する効率が当該部分で低くなるが、点光源から出射した光を面状に変換するプリズム面を隣り合う第１のプリズム３ａ、３ｂの接点から形成すれば面状への変換効率が最も高くなる。しかし、変換効率が高くなると前述したように隣接する点光源の光が重なり合うため、当該部分の輝度が大きくなる。本実施例では、図３に示したように、隣り合う点光源を中心とする曲線状の第２のプリズム３ａ’、３ｂ’を第１のプリズム３ａ、３ｂに向けて連続して配置することで、当該部分の輝度を調節可能とした。
【実施例４】
【００３９】
図４は、バイトの切り込み角度を１２度にした本発明の実施例４の説明図であり、隣り合うプリズムが交差した場合の、隣り合うプリズム同士が接する部分を上面から拡大して見た模式図である。図３に示した実施例３と同様に、点光源から出射した光を面状に変換するプリズム面が、隣り合うプリズム交差するため面状への変換効率が高くなる。しかし変換効率が高くなると前述したように隣接する点光源の光が重なり合うため、当該部分の輝度が大きくなる。本実施例ではこの点を、隣り合う点光源を中心とする曲線状の第２のプリズム３ａ’、３ｂ’を第１のプリズム３ａ、３ｂに向けて連続して配置することで、当該部分の輝度を調節可能とした。
【００４０】
次に、本発明の点光源を中心として同心円弧と接線を共有する曲線状に配置したプリズムの効率のよい設置範囲を以下説明する。
【００４１】
図５は、本発明に係る点光源を３箇所設けた導光板を上面から示した模式図である。点光源間の距離をｂとする。尚、この距離ｂは隣り合う合成プリズムの接点間の距離に等しいことは前記したとおりである。次に、本発明に係る点光源を中心として同心円弧状の第１プリズムと接線を共有する曲線状に配置した第２プリズムの範囲を範囲ａとする。
【００４２】
図６は、点光源間の距離ｂと同心円弧状の第１のプリズムと接線を共有する曲線状に配置した第２のプリズムの範囲ａの割合とプリズム同士が接する部分の輝度の関係を示す図である。図６の縦軸は点光源の光を面状に変換した輝度を１として表し、横軸は距離ｂを１とした場合の範囲ａの割合を示している。また、点光源を面状光源に変換する効率は前述した式（１）の係数ｋによっても変化する。また、点光源を面状光源に変換する効率は、図２（Ｃ）で説明したプリズム面の角度βとプリズムの高さｈ、幅ｗにも影響される。図６では、プリズム溝の面角度とプリズムの高さ或いは溝の深さ、すなわちプリズムの断面に係る項目については任意の量で一定とし、係数ｋが大きい場合と小さい場合の輝度への影響の関係を代表して表した。
【００４３】
図６に示すように、範囲ａを小さくすると隣り合う点光源の影響を受け輝度は高くなり、範囲ａが多いと点光源を面状光源に変換する効率が落ちるため輝度は低下する。このため本発明の各実施例では、点光源を中心として同心円弧と接線を共有する曲線状に配置した第２のプリズムの範囲と点光源間の距離との割合を図６に示した縦軸の１前後になるように設定した。
【００４４】
図７は、本発明の液晶表示装置を実装した電子機器の一例としての携帯電話機の構成を示す図で、図７（ａ）は正面図、図７（ｂ）は一部を透視した側面図である。この携帯電話機は、本体部筐体１０と表示部筐体１１とをヒンジ１２で接続した折り畳み型である。本体部筐体１０には送受信回路およびデータ処理回路などが内臓され、表面にキーボード１３及び機能操作ボタン１４などが設けられている。また、表示部筐体１１には液晶表示パネル１５の背面に導光板１６と点光源としての発光ダイオード１７等で構成したバックライト装置１８を重ねた液晶表示装置、プリント回路基板１９等を実装したホルダ２０が収納されている。
【００４５】
バックライト装置１８は前記実施例で説明した構成を有しており、液晶表示パネルの全域を輝度分布が均一な面状光で照明する。これにより、高輝度で輝度ムラの少ない品質の良好な画像表示を得ることができる。
【産業上の利用可能性】
【００４６】
本発明に係る導光板は工業的に量産することが可能であるため、産業上の利用可能性を有する。
【図面の簡単な説明】
【００４７】
【図１】本発明に係る点光源を面状光源に変換する導光板を上面から見た概略図と隣り合う点光源をそれぞれ中心とする同心円状のプリズム同士の交点付近を上面から拡大して表した模式図である。
【図２】金型に、もしくはアクリル樹脂に直接、刃先が略Ｖ字状のバイトを用いて切削加工を行い、金型もしくはアクリル樹脂の表面にプリズム形状を形成する方法を示した模式図である。
【図３】バイトの切り込み角度を２４度にした本発明の実施例３の説明図であり、第１のプリズムが接する部分に形成した第２のプリズムを上面から拡大して見た模式図である。
【図４】バイトの切り込み角度を１２度にした本発明の実施例４の説明図である。
【図５】本発明に係る点光源を３箇所設けた導光板を上面から示した模式図である。
【図６】点光源間の距離ｂと同心円弧状の第１プリズムと接線を共有する曲線状に配置した第２プリズムの範囲ａの割合とプリズム同士が接する部分の輝度の関係を示す図である。
【図７】本発明の液晶表示装置を実装した電子機器の一例としての携帯電話機の構成を示す図である。
【図８】液晶表示パネルの背面にバックライト装置を配置した液晶表示装置の一般的な構造を示す概略図である。
【図９】点光源が一つである場合の導光板の構成を説明する図である。
【図１０】一側面の３箇所にそれぞれに点光源を設置した導光板を上面から見た模式図である。
【図１１】図１０において隣り合うプリズム同士が隣り合う点光源の中心位置で交差する部分を拡大して上面から見た模式図である。
【符号の説明】
【００４８】
１  点光源（発光ダイオード）
２  導光板
３  プリズム
３ａ、３ｂ  第１のプリズム
３ａ’、３ｂ’  第２のプリズム
４  反射板
５  拡散板
６  液晶表示パネル
７  バイト
８  金型又はアクリル樹脂。
【図１】
2006276148.tif 000003
【図２】
2006276148.tif 000004
【図３】
2006276148.tif 000005
【図４】
2006276148.tif 000006
【図５】
2006276148.tif 000007
【図６】
2006276148.tif 000008
【図７】
2006276148.tif 000009
【図８】
2006276148.tif 000010
【図９】
2006276148.tif 000011
【図１０】
2006276148.tif 000012
【図１１】
2006276148.tif 000013